(57)【要約】【課題】  合成樹脂等によって別々に形成された上下の筐体パーツによって筐体を構成する電子楽器において、上下筐体パーツの接触箇所でビビリ音が発生することを防止するとともに、金属ゴミ等によって回路に障害が及ばないようにする。【解決手段】  上方パネル部１００と下方ボディ後方部２００とを、両者の周縁部以外の箇所で固定部材１２６，２１２によって固定した。また、プリント基板１８０は、上方パネル部１００の上面板１３０から下方に向かって突出し、該プリント基板１８０を固定しつつその上面を覆う基板台１５０に装着される。さらに、上方パネル部１００の後端部から下方に向かって突出し、下方に開口するＵ字溝１２２を形成するように上部側壁部（１２０，１１０ａ，１２４）を構成するとともに、下方ボディ後方部２００の周縁部から上方に向かって突出し、該Ｕ字溝に非接触状態で挿入される下部背面板２１０を設けた。【選択図】  図４
2006234865.tif 000002
【特許請求の範囲】
【請求項１】
下部筐体と、この下部筐体に被せる上部筐体と、上部筐体に装着される回路基板とを有する音響機器の筐体構造において、
前記上部筐体と前記下部筐体とを、これらの周縁部以外の箇所で相互に固定する固定部材と、
前記上部筐体の下面から下方に向かって突出し、前記回路基板を固定しつつ該回路基板の上面を覆う基板台と、
前記上部筐体の周縁部から下方に向かって突出し、下方に開口するＵ字溝を形成する上部側壁部と、
前記下部筐体の周縁部から上方に向かって突出し、前記Ｕ字溝に非接触状態で挿入される下部側壁部と
を有することを特徴とする音響機器の筐体構造。
【請求項２】
下部筐体と、この下部筐体に被せる上部筐体と、上部筐体に装着される回路基板とを有する音響機器の筐体構造において、
前記上部筐体の周縁部から下方に向かって突出し、下方に開口するＵ字溝を形成する上部側壁部と、
前記下部筐体の周縁部から上方に向かって突出し、前記Ｕ字溝に非接触状態で挿入される下部側壁部と
を有することを特徴とする音響機器の筐体構造。
【請求項３】
下部筐体と、この下部筐体に被せる上部筐体と、上部筐体に装着される回路基板とを有する音響機器の筐体構造において、
前記上部筐体の下面から下方に向かって突出し、前記回路基板を固定しつつ該回路基板の上面を覆う基板台
を有することを特徴とする音響機器の筐体構造。
【発明の詳細な説明】
【技術分野】
【０００１】
本発明は、小型の電子鍵盤楽器に用いて好適な音響機器の筐体構造に関する。
【背景技術】
【０００２】
一般的に小型の電子鍵盤楽器においては、筐体を構成する上下の筐体パーツが合成樹脂等によって別々に形成され、両者の周縁部同士を衝合させることによって全体の筐体を完成させるものが多い（特許文献１）。この筐体には、鍵盤、各種制御回路、音源装置、アンプ、スピーカ等が組み込まれることになる。
【０００３】
【特許文献１】特開平７−２８４６６号公報
【発明の開示】
【発明が解決しようとする課題】
【０００４】
しかし、上記構成によれば、上下の筐体パーツが周縁部の各部においてしっかりと固定されていないと、スピーカを発音させた際の振動によって上下の筐体パーツの周縁部の接触箇所においてビビリ音が発生するという問題が生じる。これを防止するためには、上下の筐体パーツを高い精度で形成し、周縁部において両パーツがしっかり固定されるようにする、あるいは周縁部にゴムなどの緩衝材を介挿する、等の方策が考えられるが、何れもコストアップにつながるという問題がある。このため、上下の筐体パーツを周縁部以外の数点でネジなどによって強固に固定するとともに、周縁部においては上下のパーツ相互間に充分な間隔の隙間を空けるとよいことが判明した。「充分な間隔の隙間」とは、スピーカを発音させた時の振動では相互に接触しない程度の隙間である。ここで、この隙間から埃などが入ることを防止するとともに、電子楽器の見栄えを良くするためには、上筐体パーツを下筐体パーツよりもやや大きめに形成し、上筐体パーツが隙間を隔てて下筐体パーツを覆うように筐体を構成すると好適である。
【０００５】
しかし、以上のようにして電子楽器の筐体を構成したとしても、例えばクリップ、ホッチキスの針、シャープペンの折れた芯、小銭などの金属製の（またはその他導体の）異物が下から上方向に跳ねると、上記隙間から筐体内に入り、電子楽器内部の回路をショートさせてしまう可能性も考えられる。この発明は上述した事情に鑑みてなされたものであり、かかる異物の混入を防止するとともに、万が一異物が混入したとしても、電子楽器等の音響機器の故障を防止できる音響機器の筐体構造を提供することを目的としている。
【課題を解決するための手段】
【０００６】
上記課題を解決するため本発明にあっては、下記構成を具備することを特徴とする。なお、括弧内は例示である。
請求項１記載の音響機器の筐体構造にあっては、下部筐体（２００）と、この下部筐体（２００）に被せる上部筐体（１００）と、上部筐体（１００）に装着される回路基板（１８０）とを有する音響機器の筐体構造において、前記上部筐体（１００）と前記下部筐体（２００）とを、これらの周縁部以外の箇所で相互に固定する固定部材（１２６，２１２）と、前記上部筐体（１００）の下面から下方に向かって突出し、前記回路基板（１８０）を固定しつつ該回路基板（１８０）の上面を覆う基板台（１５０）と、前記上部筐体（１００）の周縁部から下方に向かって突出し、下方に開口するＵ字溝（１２２）を形成する上部側壁部（１２０，１１０ａ，１２４）と、前記下部筐体（２００）の周縁部から上方に向かって突出し、前記Ｕ字溝に非接触状態で挿入される下部側壁部（２１０）とを有することを特徴とする。
また、請求項２記載の音響機器の筐体構造にあっては、下部筐体（２００）と、この下部筐体（２００）に被せる上部筐体（１００）と、上部筐体（１００）に装着される回路基板（１８０）とを有する音響機器の筐体構造において、前記上部筐体（１００）の周縁部から下方に向かって突出し、下方に開口するＵ字溝（１２２）を形成する上部側壁部（１２０，１１０ａ，１２４）と、前記下部筐体（２００）の周縁部から上方に向かって突出し、前記Ｕ字溝に非接触状態で挿入される下部側壁部（２１０）とを有することを特徴とする。
また、請求項３記載の音響機器の筐体構造にあっては、下部筐体（２００）と、この下部筐体（２００）に被せる上部筐体（１００）と、上部筐体（１００）に装着される回路基板（１８０）とを有する音響機器の筐体構造において、前記上部筐体（１００）の下面から下方に向かって突出し、前記回路基板（１８０）を固定しつつ該回路基板（１８０）の上面を覆う基板台（１５０）を有することを特徴とする。
【発明の効果】
【０００７】
このように、上部筐体の周縁部から下方に向かって突出し下方に開口するＵ字溝を形成する上部側壁部と、下部筐体の周縁部から上方に向かって突出し、該Ｕ字溝に非接触状態で挿入される下部側壁部とを有する構成によれば、上部筐体と下部筐体の間の隙間から金属ゴミ等が侵入することを防止できる。
また、上部筐体の下面から下方に向かって突出し、回路基板を固定しつつ該回路基板の上面を覆う基板台を有する構成によれば、万が一金属ゴミ等が侵入したとしても、回路基板に金属ゴミが長時間接触するような事態を未然に防止することができる。
【発明を実施するための最良の形態】
【０００８】
1．実施例の全体構成
次に、本発明の一実施例の電子鍵盤楽器の構成を図１，図２を参照し説明する。
図１は電子鍵盤楽器の筐体を組み立てた状態を示す。電子鍵盤楽器の上部背面板１２０は垂直面よりも若干傾斜しているが、その中央部分は垂直に切り欠かれ、ここに端子板１１０が形成されている。次に、図２は筐体を分解した状態を示す。図２において３００は略長方形板状に形成された下方ボディ前方部であり、この上面には鍵盤３１０が取り付けられ、鍵盤３１０の後方かつ上方には、貫通孔３０２，３０４，３０６を形成した結合板３０８が後方に向かって突出している。２００は略直方体状に形成された下方ボディ後方部であり、その上面前方には、突起部２０２，２０４，２０６が上方向に突出している。ここで、突起部２０２，２０４，２０６を貫通孔３０２，３０４，３０６に嵌合させると、下方ボディ後方部２００および下方ボディ前方部３００が一体化し、下方ボディ部が形成されることになる。また、１００は上方パネル部であり、鍵盤３１０を露出させつつ下方ボディ部２００，３００を覆うように構成されている。１０２Ｌ，１０２Ｒは左右のスピーカ、１０４はＬＣＤディスプレイ、１０６はスイッチ群であり、上方パネル部１００の上面に取り付けられている。
【０００９】
2．回路基板周辺の構成
次に、図１において上方パネル部１００のＢ−Ｂ’断面の斜視図を図３に示す。図３において端子板１１０は上部背面板１２０から上方パネル部１００の内側に突出している。その突出部分の下面には、長方形板状のガ−ド板１２４がさらに下方向に突出するように固着されている。そして、端子板１１０には、ＭＩＤＩ端子，電源端子などが挿通する貫通孔１１２，１１４が形成されている。また、端子板１１０の左右には、上方パネル部１００の上面板１３０の下面から切頭円錐状の固定部材１２６，１２６が下方向に突出している。そして、固定部材１２６，１２６の切頭面の中央には、雌ネジ１２６ａ，１２６ａが形成されている。なお、特に図示しないが、固定部材１２６，１２６と同様の固定部材が上方パネル部１００の上面板１３０の下面の随所に形成されており、これら固定部材を介して上方パネル部１００と下方ボディ部２００，３００とが強固に固定される。
【００１０】
さらに、上面板１３０の下面において端子板１１０の前方部分には、断面略長方形状で所定の高さを有する基板台１４０，１５０，１６０が下方向に突出している。基板台１４０の四隅部分は肉厚になっており、その下面部分には雌ネジ１４２，……，１４２が形成されている。なお、基板台１５０および１６０も基板台１４０と同様に構成され、雌ネジ１５２，……，１５２および１６２，……，１６２が各下面に形成されている。１７０，１８０，１９０は長方形板状のプリント基板であり、フラットケーブル４０２，４０４を介して相互に接続されている。プリント基板１７０の四隅には取付穴１７２，……，１７２が穿孔されており、図示せぬ雄ネジをここに挿通し雌ネジ１４２，……，１４２に螺合すると、プリント基板１７０が基板台１４０に固定される。同様に、プリント基板１８０，１９０の各四隅にも取付穴１８２，……，１８２および１９２，……，１９２が各々形成されており、これらを挿通する雄ネジが雌ネジ１５２，……，１５２，１６２，……，１６２に螺合されると、プリント基板１８０，１９０が各々基板台１５０，１６０に固定されることになる。
【００１１】
各プリント基板１７０，１８０，１９０においては、上面（基板台１４０，１５０，１６０に接する面）にプリントパターンが形成されており、各下面に各種部品が配置されている。１７４，１９４はコネクタ（ＭＩＤＩおよび電源コネクタ）であり、各々プリント基板１７０，１９０の下面から後方に突出するように固着されている。これらコネクタ１７４，１９４は、プリント基板１７０，１９０を各々基板台１４０，１６０に取り付けた際に、端子板１１０の貫通孔１１２，１１４を介して外部に露出する。ここで、プリント基板１８０は、ＣＰＵ、ＲＯＭ、ＲＡＭ、ＬＣＤディスプレイ１０４やスイッチ群１０６とのインタフェース回路など、主としてデジタル回路を搭載した基板であり、プリント基板１７０，１９０は、パワーアンプ、電源回路等を搭載した基板である。
【００１２】
3．ガ−ド板１２４周辺の構成
次に、図１において電子鍵盤楽器を組み立てた状態におけるＡ−Ａ’断面の側面図を図４に示す。図において下方ボディ後方部２００の底板２２０には、その後端部において長方形板状の下部背面板２１０が上方に突出している。また、底板２２０において、上方パネル部１００の固定部材１２６に対向する位置には、切頭円錐状の固定部材２１２が上方に向かって突出している。固定部材２１２の内部は中心軸に沿って中空になっており、底板２２０から下方に向かって開口する雄ネジ挿通口２１２ａが形成されている。そして、底板２２０の下方から雄ネジ挿通口２１２ａに雄ネジ２１６を挿通し、これを上方パネル部１００側の固定部材１２６の雌ネジ１２６ａ（図３参照）に螺合することにより、固定部材１２６と固定部材２１２とが強固に固定される。なお、上方パネル部１００に設けられている他の固定部材に対しても、この固定部材２１２と同様の部材が底板２２０の対応する箇所に設けられており、これら固定部材によって下方ボディ後方部２００と上方パネル部１００とが相互に固定されることになる。
【００１３】
下部背面板２１０は、図示の組み立て状態において上部背面板１２０とガ−ド板１２４との間に位置する場所に設けられている。そして、上部背面板１２０、ガ−ド板１２４および端子板１１０の底部１１０ａによってＵ字溝１２２が形成されている。下部背面板２１０は、このＵ字溝１２２の各部に対してある程度の間隔（スピーカ１０２Ｌ，１０２Ｒの振動によって接触しない程度の間隔）を隔てて、非接触状態でＵ字溝１２２に挿入されている。ここで、上部背面板１２０と下部背面板２１０との間の隙間から、金属ゴミが飛び込んだとしても、この金属ゴミはガ−ド板１２４に衝突して下方に落ちるため、金属ゴミはプリント基板１８０にはほとんど接触しないことが解る。さらに、万が一金属ゴミが電子鍵盤楽器の内部に侵入し、プリント基板１８０の下面に一瞬接触したとしても、金属ゴミは直ちに下方に落ちるため、例えば回路の短絡状態などは瞬時に終了することが解る。すなわち、プリント基板１８０の上面は、その全体が基板台１５０および上面板１３０によって囲まれているため、金属ゴミがプリント基板１８０の上面に乗ることはない。従って、金属ゴミがプリント基板１８０に長時間に渡って接触することが防止されるため、その内部回路に障害が及ぶ可能性はきわめて小さくなる。
【００１４】
再び図３に戻り、ガ−ド板１２４は、プリント基板１７０後方のほぼ中央付近からプリント基板１９０後方のほぼ中央付近に渡って延在している。すなわち、プリント基板１８０は、その全体がガ−ド板１２４によって保護されているのに対して、プリント基板１７０，１９０はその一部しかガ−ド板１２４によって保護されていないことになる。これは、各プリント基板の回路構成の相違に基づくものである。すなわち、上述したようにプリント基板１８０は、ＣＰＵなど主としてデジタル回路を搭載した基板であるから、金属ゴミなどが一瞬触れただけであっても故障が起きやすい性質がある。一方、プリント基板１７０，１９０に搭載されている回路は、パワーアンプ、電源回路等であるため、比較的故障が起きにくいという特徴がある。このため、特にプリント基板１８０を重点的に保護するように、ガ−ド板１２４を構成したのである。また、このガ−ド板１２４は上方パネル部１００とともに一体成型されているため、電子鍵盤楽器の筐体の強度を向上させるとともに、変形を防止するという効果もある。
【００１５】
なお、上記実施例は、本発明を電子鍵盤楽器に適用した例を説明したが、本発明は電子鍵盤楽器に限定されるものではなく、スピーカの振動によるビビリ音を排除すべき各種の音響機器に対して適用することができる。
【図面の簡単な説明】
【００１６】
【図１】本発明の一実施例の電子鍵盤楽器の平面図および側面図である。
【図２】該電子鍵盤楽器の分解図である。
【図３】上方パネル部１００のＢ−Ｂ’断面の斜視図である。
【図４】該電子鍵盤楽器を組み立てた状態におけるＡ−Ａ’断面の側面図である。
【符号の説明】
【００１７】
１００：上方パネル部、１０２Ｌ，１０２Ｒ：スピーカ、１０４：ＬＣＤディスプレイ、１０６：スイッチ群、１１０：端子板、１１０ａ：底部、１１２，１１４：貫通孔、１２０：上部背面板、１２２：Ｕ字溝、１２４：ガ−ド板、１２６，１２６：固定部材、１２６ａ，１２６ａ：雌ネジ、１３０：上面板、１４０，１５０，１６０：基板台、１４２，１５２，１６２：雌ネジ、１７０，１８０，１９０：プリント基板、１７２，１８２，１９２：取付穴、１７４，１９４：コネクタ、２０２，２０４，２０６：突起部、２１０：下部背面板、２１２：固定部材、２１２ａ：雄ネジ挿通口、２１６：雄ネジ、２２０：底板、３００：下方ボディ前方部、３０２，３０４，３０６：貫通孔、３０８：結合板、３１０：鍵盤、４０２，４０４：フラットケーブル。
【図１】
2006234865.tif 000003
【図２】
2006234865.tif 000004
【図３】
2006234865.tif 000005
【図４】
2006234865.tif 000006